(57)【要約】      （修正有）【課題】自動車の混雑、業務の都合上トイレを確保できない時や災害時の男女兼用の排尿バッグとして、特に女性の体に簡単にフィットして、排尿時に尿漏れの発生が無く、清潔で安心の確保ができて、使用感が良く小型、軽量、携帯可能なコンパクトで安価な排尿バッグを提供する。【解決手段】カップと蓄尿袋は着脱自在で、蓄尿袋の開口部をカップの底部から入り口に向かって挿入して蓄尿袋の開口部をカップから引き出して、カップ入り口で外へ折り返すことで両者は係止される。更に、蓄尿袋の開口部の近距離に配置した紐でカップを縛ると、より十分な係止となる。使用時は、男性はカップに陰茎を入れて用を足すが、女性の場合はカップ開口部の低い方を体の前方に、高い方を局部の後方側つまり尻側に押し当てる。この時、カップの高低を繋ぐ二つの稜線は緩やかな曲線形状で体にフィットする形状である。【選択図】図３
0003149666.tif 000002
【実用新案登録請求の範囲】
【請求項１】
底面のない紙コップ状のカップにポリエチレンの袋を接合して成る事を特徴とする排尿バッグ。
【請求項２】
前記、請求項１記載の排尿バッグで、底面のない紙コップ状のカップとポリエチレンの袋は着脱自在である事を特徴とする排尿バッグ。
【請求項３】
前記、請求項１又は２記載の排尿バッグで、底面のない紙コップ状のカップの入り口は排尿者に対して前部を低く、後部を高くし、そこを繋ぐ二つの稜線は排尿部周辺にフィットするような緩やかな曲線形状である事を特徴とする排尿バッグ。
【請求項４】
前記、請求項１、２又は３記載の排尿バッグで、ポリエチレン袋の開閉部を底面のない紙カップ状のコップ底部から入り口方向に挿入、貫通させ、コップ入り口でポリエチレン袋の開閉部を反転させて袋とコップを係止する事を特徴とする排尿バッグ。
【請求項５】
前記、請求項１、２、３又は４記載の排尿バッグで、ポリエチレン袋の開閉が紐を絞ったり、緩めたりする事で成る構造である事を特徴とする排尿バッグ。
【請求項６】
前記、請求項１、２、３、４又は５記載の排尿バッグで、ポリエチレン袋の中に高吸水性樹脂を保持する事を特徴とする排尿バッグ。
【考案の詳細な説明】
【技術分野】
【０００１】本考案は非常用排尿トイレに関する。
【背景技術】
【０００２】非常用トイレとして糞尿処理袋があるが、いわゆるポリ袋をポータブルトイレや介護用トイレ等にセットして使用するものが多い。又、大便と小便を兼用するものは非常用携帯トイレとしては、嵩が張ることや、便座椅子の運搬や保管が必要で煩わしく不便である。小便用としては病院、介護用として採尿袋があるが、女子の採尿には不都合な点が多かった。【０００３】従来は非常用トイレとしての糞尿処理袋を排尿用として兼ねて使用する事が多かったが、使用し難く排尿回数が多いと費用も掛り、利用に積極的でないのが現状である。又、排尿バッグは、女性用として排尿時の尿漏れ防止を考慮した構造として好ましいものが無かった。つまり、排尿バッグの入り口から尿漏れが無いように体にフィットさせる構造で、清潔でコストを低く抑えることへの配慮が足りなかった。そこで、非常用排尿バッグとして、使い易く、強度が充分あって嵩張らず、安全性が高く、しかも、軽量、安価な非常用排尿バッグの提供が望まれていた。
【考案の開示】
【考案が解決しようとする課題】
【０００４】本考案は災害時や緊急時などの男女兼用の非常用排尿バッグとして、特に女性の体に簡単にフィットできて排尿時に尿漏れが発生しない事。清潔で安心の確保ができて使用感が良いもの。しかも、安全で軽量、安価な非常用排尿バッグの提供にある。
【課題を解決するための手段】
【０００５】上記の課題を解決すべく本考案者らは鋭意検討した結果、上記の課題は次のような手段によって解決することがわかった。
即ち、底部のない紙コップ形状のカップと蓄尿袋と尿の固化剤の三部材で構成する。カップと蓄尿袋は着脱自在で、蓄尿袋の開口部をカップの底部から入り口に向かって挿入して蓄尿袋の開口部をカップから引き出して、カップ入り口で外へ折り返すことによってカップと蓄尿袋が係止される。更に、蓄尿袋の開口部の近距離に配置した紐でカップを縛るとより十分な係止となる。次に、使用時はカップ形状の開口部の低い方を体前方に、高い方を体の後方つまり尻方向に当て、この高低を繋ぐ二つの稜線は緩やかな曲線形状から成り、体にフィット出来る形態である。排尿後はカップから蓄尿袋を外して尿の固化処理後、袋の紐を縛って所定の処理を行う。カップは濡らしたり汚したりしなければ、繰り返しの使用が可能で経済的である。又、先述のように、蓄尿袋は開口部の近距離に開閉用の紐を具備し、臭いと尿の漏れを防止する態様である。蓄尿袋は内部に高吸水性樹脂を保持し、排尿を素早く固化する態様で上記課題を解決できることがわかった。この際、固化とはゲル化して尿が流動化しない状態を指す。
【考案の効果】
【０００６】本考案は、排尿バッグを入口部材と蓄尿袋部材に分けて、二つの部材を組み立てて使用し、廃棄時は蓄尿袋だけを外して廃棄する構造にした事で、軽量、小寸法で取り扱いが簡単な排尿バッグとなった。男性用としては使用感が良く、女性の小便用としては特に漏れの心配がないので安心して使用できる。しかも、安価で省スペースの排尿バッグは、業務従事中やレジャー及び非常時への備蓄に好適でトイレ不足解消と、トイレの快適性向上等に結びつけることが可能となる。
【考案を実施するための最良の形態】
【０００７】本考案は、底面のない紙コップ形状のカップの入り口部は排尿者の前面部が低く、尻部方向を高くし、この高低を結ぶ二つの稜線は緩やかな曲線で体にフィットする形状である。又、蓄尿袋の開口部をカップ底面から入り口に向かって挿入、引き出してカップ入り口で蓄尿袋入口を外側に折り返して蓄尿袋とカップを係止する。この際、蓄尿袋の開口部下方の近距離に開閉用の紐が配置してあるので、該紐で蓄尿袋とカップを縛る事で両者をしっかりと係止できる。組み立てた排尿バッグは、男性の場合カップに陰茎を入れて用を足すが、女性の場合はカップで局部を覆うように周辺に押し当てて使用する。この際、カップを片手で押えれば良いので簡単便利である。非常時にはポンチョを着て使用すれば利用範囲が大きく広がる。又、蓄尿袋の紐は排尿後の蓄尿袋を密閉し廃棄に対応するものである。排尿は一日に数回行うが、本考案は蓄尿袋を交換するだけで、カップは繰り返し使用できる態様で経済的である。
最終的な形態は図３の状態となる。
【実施例１】
【０００８】以下、本考案を図面を用いて詳細に説明する。
図１は本考案の底面のない紙コップ形状のカップ１の見取り図である。カップ１の入り口１−１は体に装着時の前方１−３から後方１−４に向かって高くなる形状で、前方と後方は緩やかな曲線で繋がり、体にフィットする態様である。【０００９】図２は蓄尿袋２の見取図である。蓄尿袋入り口２−１から蓄尿袋底部２−２に向かった近距離の位置に蓄尿袋入り口に平行な穴３−１と該穴に紐３−２を通過させて保持する。この際、紐の先端部に結び目３−３を設けて紐が脱落するのを防ぐ。蓄尿袋の底部には高吸水性樹脂４を保持し、排尿を固化する態様である。【００１０】図３は排尿バッグとして使用するために組み立てた時の見取図である。底面のない紙コップ形状のカップ１の底面１−２からカップ入り口１−１に向かって、図２の蓄尿袋２の入り口２−１を挿入し、カップ入り口１−１を通過したら蓄尿袋２の入り口２−１をカップの外側に折り返してカップと蓄尿袋を固定する。この際、蓄尿袋に配置した紐３−２を用いてカップと蓄尿袋を締めて止めれば安心できる態様である。【００１１】図４は本考案の排尿バッグを使用して排尿した後、蓄尿袋２に保持した高吸収性樹脂４で尿を固化５し、蓄尿袋２を紐３−２で縛った縛り目３−３の状態図である。コンパクトで軽く、安全、安価な排尿バッグの提供で、レジャーや乗り物等で使用する事は勿論、非常時の緊急トイレとしても備蓄が小面積で済むこと、コスト、安全面から利用への期待が広がった。【００１２】図１から図４の本考案の材質と寸法について以下に説明する。
底面のない紙コップ形状のカップ１は円筒形または楕円筒形で、長い径８０〜１５０ｍｍ、短い径６０〜１００ｍｍ、高さは４０〜７０ｍｍ、体に対して前面と後面の高低差は２５〜５０ｍｍが好ましい。材質はポリエチレン、ポリプロピレン、塩化ビニル、紙にポリエチレンラミネート等が望ましい態様である。蓄尿袋２は１５００ｍｍ〜２５００ｍｍ×２５００〜３５００ｍｍで、紐用の穴部３−１は蓄尿袋の入り口２−１から下方向２０ｍｍ〜４０ｍｍの距離に直径５ｍｍ〜１０ｍｍの円形穴を６〜１０個保持し、該穴に４ｍｍ〜８ｍｍの紐を上下交互に潜らせて紐の先端部を結ぶ。紐の材質は綿、ポリエステル、アクリル繊維等が望ましい。高吸水性樹脂はポリアクリル酸Ｎａ、イソプロピルアミド等、吸水消臭剤としてゼオライト、カオリン等を加えても良く、高吸水性樹脂の保持量は１０ｇ〜２５ｇが好ましい態様である。
【産業上の利用可能性】
【００１３】自動車の混雑、業務の都合上トイレが確保できない等は勿論、震災などで被災した場合には水道や電気など、いわゆるライフラインが遮断される事が想定される。特に、都市部では非常時の排泄物の処理が深刻な問題である。排尿は排便に比べて回数も多く、女性の体に簡単にフィットできて排尿時に尿漏れが発生しない、しかも安価で軽量、コンパクトで嵩張らず、安心できる排尿バッグの提供は利便性だけでなく、トイレ不足解消のために省スペースで備蓄できるので普及が見込める。また、非常持ち出し袋の中に入れて、携帯用として備えることができるので利用範囲が広がった。
【図面の簡単な説明】
【００１４】
【図１】排尿バッグの底面のない紙コップ形状のカップ部材の見取り図
【図２】排尿バッグの蓄尿袋部材の見取り図
【図３】底面のない紙コップ形状のカップ部材に蓄尿袋部材を組み付け使用状態の排尿バッグの見取り図
【図４】排尿後に固化した尿が入った蓄尿袋を外して紐で密閉した見取り図
【符号の説明】
【００１５】１        ：底面のない紙コップ形状のカップ部材
１−１    ：カップ部材の入り口部
１−２    ：カップ部材の底部
１−３    ：カップ部材の装着時の前部
１−４    ：カップ部材の装着時の後部
１−５    ：１−３と１−４を結ぶ緩やかな曲線
２        ：蓄尿袋
２−１    ：蓄尿袋開口部
２−２    ：蓄尿袋底部
３−１    ：穴部
３−２    ：紐
３−３    ：紐の先端部結び目
３−４    ：袋を密閉した結び目
４        ：高吸水性樹脂
５        ：固化した尿
【図１】
0003149666.tif 000003
【図２】
0003149666.tif 000004
【図３】
0003149666.tif 000005
【図４】
0003149666.tif 000006